【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
シートを給送するシート給送部と、
前記シート給送部により給送されるシートに、画像形成位置で画像を形成する画像形成部と、
前記画像形成部により画像が形成されたシートを排出するシート排出部と、
前記シート給送部と前記シート排出部との間を接続すると共に、経路上に前記画像形成部が配設される第１搬送路と、
前記画像形成部によって片面に画像が形成されたシートを再度、前記第１搬送路に案内する第２搬送路と、
原稿を給送する原稿給送部と、
前記原稿給送部によって給送された原稿を排出する原稿排出部と、
前記原稿給送部に接続された原稿給送路と、前記原稿排出部に接続された原稿排出路と、前記第２搬送路の少なくとも一部と搬送経路を共有した共通搬送路と、を有し、前記原稿給送部から給送された原稿を、前記原稿給送路、前記共通搬送路及び前記原稿排出路を介して、前記画像形成位置を通らずに前記原稿排出部に案内する原稿搬送路と、
原稿が前記原稿搬送路を通過する際に、前記原稿給送部によって給送された原稿の第１面及び第２面を読み取り可能な読取部と、を備えた、
ことを特徴とする画像形成装置。
【請求項２】
前記原稿給送路又は前記原稿排出路の内の一方の搬送路は、少なくともその一部が前記共通搬送路に並設されると共に、一端部が接続部にて前記共通搬送路と接続され、
前記読取部は、前記一方の搬送路と前記共通搬送路との間に配設されると共に、前記共通搬送路を搬送されている原稿の画像を読取る第１位置と、前記一方の搬送路を搬送されている原稿の画像を読取る第２位置と、に移動可能に構成された、
ことを特徴とする請求項１に記載の画像形成装置。
【請求項３】
前記接続部よりも原稿搬送方向下流側に設けられた正逆転可能な原稿反転ローラ対と、
前記接続部にて原稿の搬送経路を切換える切換え部材と、
前記原稿反転ローラ対を回転駆動させて前記原稿給送部から前記接続部に給送されてきた原稿を前記共通搬送路に沿って搬送し、原稿の後端が前記切換え部材を通過した後に、前記原稿反転ローラの回転方向を逆転させて原稿をスイッチバックさせると共に、このスイッチバックされた原稿が前記原稿排出路に向かうように前記切換え部材を切換える制御部と、を備えた、
ことを特徴とする請求項２に記載の画像形成装置。
【請求項４】
前記一方の搬送路は、前記原稿排出路であり、
前記原稿給送路は、前記共通搬送路に接続され、前記共通搬送路を介して前記接続部に原稿を給送し、
前記読取部は、前記共通搬送路を原稿が搬送されている際には、前記第１位置で原稿の第１面の画像を読み取り、原稿が前記原稿排出路を搬送されている際には、前記第２位置で原稿の第２面の画像を読み取る、
ことを特徴とする請求項３に記載の画像形成装置。
【請求項５】
前記第１搬送路及び前記第２搬送路は、前記切換え部材から前記第２搬送路と前記第１搬送路の合流点までの前記第２搬送路の長さと、前記合流点から前記画像形成部までの前記第１搬送路の長さの和が、前記原稿給送部が給送可能な最大原稿長さよりも長くなるように構成されている、
ことを特徴とする請求項４に記載の画像形成装置。
【請求項６】
前記共通搬送路側に設けられた第１ローラと、
前記原稿排出路側に設けられた第２ローラと、
前記第１ローラと前記第２ローラとの間に配設された回転ローラと、を備え、
前記回転ローラは、前記第１ローラと共に第１ニップ部を形成し、前記第２ローラと共に第２ニップ部を形成し、かつ第１方向に回転することによって前記共通搬送路上の原稿を前記読取部に向けて搬送し、前記第１方向とは反対の第２方向に回転することによって前記原稿排出路上の原稿を前記原稿排出部に向けて搬送する、
ことを特徴とする請求項４又は５に記載の画像形成装置。
【請求項７】
前記原稿搬送路は、前記接続部にて前記共通搬送路及び前記一方の搬送路に接続され、前記原稿給送部から給送されてきた原稿をスイッチバックして前記原稿排出部に向かって搬送する際に、前記一方の搬送路と前記共通搬送路との合流部に搬送されて来たスイッチバックさせる前の原稿を受け入れる反転用搬送路を有する、
ことを特徴とする請求項２に記載の画像形成装置。
【請求項８】
前記共通搬送路と前記原稿排出路との分岐よりも原稿給送方向下流側に配設されており、前記原稿給送部から給送されてきた原稿の搬送方向を反転させて搬送可能に構成された原稿反転搬送部と、
前記原稿給送部から前記接続部に搬送されてきた原稿を前記反転用搬送路に向かって案内し、前記原稿反転搬送部によりスイッチバックされた原稿を前記原稿排出路に向かうように原稿の搬送経路を切換える切換え部材と、を備えた、
ことを特徴とする請求項７に記載の画像形成装置。
【請求項９】
前記一方の搬送路は、前記原稿排出路であり、
前記原稿給送路は、前記共通搬送路に接続されると共に、前記共通搬送路を介して前記接続部に原稿を給送し、
前記切換え部材は、前記原稿給送路を介して前記接続部に搬送されてきた原稿の後端が前記切換え部材を通過するまで原稿を前記反転用搬送路に案内し、原稿の後端が前記切換え部材を通過した後に原稿が前記原稿排出路に搬送されるように切換えられ、
前記読取部は、前記共通搬送路を原稿が搬送されている際には、前記第１位置で原稿の第１面の画像を読み取り、原稿が前記原稿排出路を搬送されている際には、前記第２位置で原稿の第２面の画像を読み取る、
ことを特徴とする請求項８に記載の画像形成装置。
【請求項１０】
前記シート排出部、前記原稿給送部及び前記原稿排出部は、前記共通搬送路と前記原稿排出路との分岐よりも上方側に配設されており、
前記反転用搬送路は、前記共通搬送路及び前記原稿排出路の下方側にて前記第２搬送路と並設され、
前記原稿反転搬送部は、前記反転用搬送路側に設けられたローラと、前記第２搬送路側に設けられたローラと、対向して配置された前記反転用搬送路と前記第２搬送路との間に配設され、前記反転用搬送路側に設けられたローラ及び前記第２搬送路側に設けられたローラのそれぞれとローラ対を形成する回転ローラと、を有し、
前記回転ローラは、第１方向に回転することによって原稿を前記反転用搬送路に引込み可能であると共に、第２方向に回転することによって前記反転用搬送路側に設けられたローラとの間で原稿をスイッチバックさせることが可能でかつ、前記第２搬送路側に設けられたローラとの間で前記第２搬送路上のシートを前記第１搬送路に向かって搬送可能に構成された、
ことを特徴とする請求項９に記載の画像形成装置。
【請求項１１】
前記原稿給送路又は前記原稿排出路の内の一方の搬送路は、合流部にて前記共通搬送路と合流すると共に、前記原稿給送路又は前記原稿排出路の内の他方の搬送路は、前記共通搬送路の原稿搬送方向上流端に連結され、
前記読取部は、前記一方の搬送路と前記共通搬送路との分岐よりも原稿搬送方向下流側にて、原稿の画像を読み取るセンサ面が前記共通搬送路に対向するように固定して配置され、
前記原稿搬送路は、前記共通搬送路の原稿搬送方向下流端と、この下流端よりも原稿搬送方向上流側でかつ前記読取部よりも下流側の前記共通搬送路とを接続し、原稿をＵターンさせて前記共通搬送路へと戻すＵターン路を有する、
ことを特徴とする請求項１に記載の画像形成装置。
【請求項１２】
前記一方の搬送路は、前記原稿排出路であり、
前記他方の搬送路は、前記原稿給送路であり、
前記読取部は、前記原稿給送路から前記共通搬送路に搬送されて来た原稿がセンサ面上を通過する際に第１面の画像を読み取り、前記Ｕターン路で搬送方向が反転された原稿が再度、センサ面上を通過する際に第２面の画像を読み取る、
ことを特徴とする請求項１１に記載の画像形成装置。
【手続補正２】
【補正対象書類名】明細書
【補正対象項目名】０００７
【補正方法】変更
【補正の内容】
【０００７】
本発明は、画像形成装置において、シートを給送するシート給送部と、前記シート給送部により給送されるシートに、画像形成位置で画像を形成する画像形成部と、前記画像形成部により画像が形成されたシートを排出するシート排出部と、前記シート給送部と前記シート排出部との間を接続すると共に、経路上に前記画像形成部が配設される第１搬送路と、前記画像形成部によって片面に画像が形成されたシートを再度、前記第１搬送路に案内する第２搬送路と、原稿を給送する原稿給送部と、前記原稿給送部によって給送された原稿を排出する原稿排出部と、前記原稿給送部に接続された原稿給送路と、前記原稿排出部に接続された原稿排出路と、前記第２搬送路の少なくとも一部と搬送経路を共有した共通搬送路と、を有し、前記原稿給送部から給送された原稿を、前記原稿給送路、前記共通搬送路及び前記原稿排出路を介して、前記画像形成位置を通らずに前記原稿排出部に案内する原稿搬送路と、原稿が前記原稿搬送路を通過する際に、前記原稿給送部によって給送された原稿の第１面及び第２面を読み取り可能な読取部と、を備えたことを特徴とする。
【手続補正３】
【補正対象書類名】明細書
【補正対象項目名】００４６
【補正方法】変更
【補正の内容】
【００４６】
画像読取部６を通過した原稿Ｇは、図８（ａ）に示すように、第３切換え部材８８により反転用搬送路１６に案内され、駆動ローラ８７ａとコロ８７ｃとにより反転用搬送路１６に搬送される。第１面の画像が読み取られた原稿Ｇの後端が第３切換え部材８８を通過したことを原稿位置検知センサ７１（図２参照）が検知すると、制御部７は、駆動ローラ８７ａを逆回転させる。また、制御部７は、不図示の第３ソレノイドを駆動して、分岐部に設けられた第３切換え部材８８を反時計回りに回動して原稿Ｇの搬送方向を切り換える。これにより、原稿Ｇがスイッチバックされ、原稿Ｇが原稿排出路１５に向けて搬送される。なお、反転用搬送路１６の長さは、図８（ｂ）に示すように、原稿給送部５が給送可能な最大原稿長さよりも長くなるように形成されている。